(57)【要約】【課題】延長ロッドの継ぎ足しの際にも泥水の地上排出（もしくは泥水の逆循環）を継続することのできる削孔装置と削孔方法を提供する。【解決手段】地中に順次継ぎ足されていく筒状の延長ロッド１と、延長ロッド１の下端に装着された貫通孔２ｃを有する駆動モータ２と、駆動モータ２に回転自在に装着された筒状の掘削ロッド３と、掘削ロッド３の下端に装着され、噴射水供給路４ｂと泥水排出路４ｃを内部に備えた掘削ビット４と、延長ロッド１を地上で支持する重機６と、から構成され、駆動モータ２の下端にはウォータースイベル５が非回転状態で装着され、ウォータースイベル５には地上に延びる排泥管７が取り付けられており、延長ロッド１と駆動モータ２と掘削ロッド３と噴射水供給路４ｂから噴射水供給ラインが形成され、泥水排出路４ｃと掘削ロッド３とウォータースイベル５と排泥管７から泥水排出ラインが形成されている削孔装置１０である。【選択図】図１
2018204256.tif 000002
【特許請求の範囲】
【請求項１】
地中に順次継ぎ足されていく筒状の延長ロッドと、
前記延長ロッドの下端に装着された貫通孔を有する駆動モータと、
前記駆動モータに回転自在に装着された筒状の掘削ロッドと、
前記掘削ロッドの下端に装着され、噴射水供給路と泥水排出路を内部に備えた掘削ビットと、
前記延長ロッドを地上で支持する重機と、から構成され、
前記駆動モータの下端にはウォータースイベルが非回転状態で装着され、該ウォータースイベルには地上に延びる排泥管が取り付けられており、
前記延長ロッドと前記駆動モータと前記掘削ロッドと前記噴射水供給路から噴射水供給ラインが形成され、
前記泥水排出路と前記掘削ロッドと前記ウォータースイベルと前記排泥管から泥水排出ラインが形成されている削孔装置。
【請求項２】
前記掘削ビットは中央の中央ビットと、該中央ビットから側方へ突出した拡翼ビットから構成され、前記拡翼ビットに前記噴射水供給路が形成され、前記掘削ロッドと前記噴射水供給路が迂回管で繋がれており、
前記中央ビットに前記泥水排出路が形成されている、請求項１に記載の削孔装置。
【請求項３】
前記排泥管は可撓性を有しており、前記延長ロッドの継ぎ足しに応じて地上から地中に該排泥管が自動的に送り出される、請求項１または２に記載の削孔装置。
【請求項４】
筒状の延長ロッドの下端に貫通孔を中央に備えた駆動モータを取り付け、該駆動モータの下端に回転自在に筒状の掘削ロッドを取り付けるとともに非回転状態でウォータースイベルを取り付け、該掘削ロッドの下端に噴射水供給路と泥水排出路を内部に備えた掘削ビットを取り付け、該ウォータースイベルに排泥管を取り付け、前記延長ロッドと前記駆動モータと前記掘削ロッドと前記噴射水供給路から噴射水供給ラインを形成し、前記泥水排出路と前記掘削ロッドと前記ウォータースイベルと前記排泥管から泥水排出ラインを形成して掘削装置を構成し、
前記掘削ビットを回転させ、前記噴射水供給ラインを介して噴射水を地盤に供給しながら地盤を掘削し、前記泥水排出ラインを介して泥水を地上に排出しながら掘削孔を造成し、
地盤の掘削に応じて前記延長ロッドを継ぎ足し、この継ぎ足しの際に、前記泥水排出ラインを介した泥水の排出を継続する、削孔方法。
【請求項５】
前記掘削ビットは中央の中央ビットと、該中央ビットから側方へ突出した拡翼ビットから構成され、前記拡翼ビットに前記噴射水供給路を形成し、前記掘削ロッドと前記噴射水供給路を迂回管で繋ぎ、前記中央ビットに前記泥水排出路を形成し、
前記拡翼ビットから噴射水を供給し、前記中央ビットから泥水を排出しながら掘削孔を造成する、請求項４に記載の削孔方法。
【請求項６】
前記排泥管は可撓性を有しており、前記延長ロッドの継ぎ足しに応じて地上から地中に該排泥管を自動的に送り出す、請求項４または５に記載の削孔方法。
【発明の詳細な説明】
【技術分野】
【０００１】
本発明は、地盤を削孔する削孔装置と削孔方法に関するものである。
【背景技術】
【０００２】
場所打ち杭の施工やその他様々な理由から、原地盤を削孔して掘削孔を造成する施工がおこなわれている。削孔方法や削孔装置は原地盤の性状（軟弱地盤か硬質地盤か、砂質系地盤が粘性土地盤か、地下水位が高いか等）や地上および地下の現況等に応じて多岐に亘るが、その一例として、地上に載置された駆動モータを用いて、先端に掘削ビットを備えた掘削ロッドを回転させながら地盤を切削し、掘削ロッドを順次継ぎ足しながら所定長さの掘削孔を造成する方法が挙げられる。この種の削孔装置を用いて掘削孔を造成する場合、掘削孔の延長が長い大深度掘削施工の際に回転トルクが低下し易く、場合によっては掘削ができなくなるといったケースが生じたり、掘削可能であっても掘削精度が低下するケースが生じるといった課題がある。
【０００３】
そこで、掘削ロッドを回転させる駆動モータを地上に載置せず、地上にある重機にて継ぎ足し自在な延長ロッドを支持させ、延長ロッドの下端に駆動モータを装備し、駆動モータの下端に回転自在に掘削ロッドを装着してなる削孔装置が開発されており、たとえば特許文献１にその開示がある。この種の装置では、大深度掘削の場合であっても、先端に掘削ビットを備えた掘削ロッドのロッド長が長くなることはなく、掘削に応じて掘削方向に進行する駆動モータにて一定長さの掘削ロッドを回転させることができ、したがって回転トルクの低下もなく、高い掘削精度を保証することができる。
【０００４】
なお、掘削孔の造成の際には当該掘削孔の崩壊を防止するべく、掘削孔内には削孔にて生じた土砂が混ざりあった安定液を充満させており、したがって、削孔に応じてこの土砂混じり安定液を地上に排出する必要が生じるが、この土砂混じり安定液（以下、泥水という）の排出方式として、掘削ロッドの中空と、駆動モータの中央の貫通孔と、延長ロッドの中空とからなる泥水排出ラインを介して地上のサクションポンプにて排出する、いわゆる逆循環方式が適用されるのが一般的である。
【先行技術文献】
【特許文献】
【０００５】
【特許文献１】特開２０１３−３６１７８号公報
【発明の概要】
【発明が解決しようとする課題】
【０００６】
ところで、延長ロッドの下端に駆動モータが装備され、駆動モータの下端に回転自在に掘削ロッドが装着された削孔装置を用いて掘削孔を造成するに当たり、延長ロッドの継ぎ足しの際には上記する逆循環方式による泥水の地上排出を停止する必要がある。泥水の循環を停止させて駆動モータや掘削ロッドに繋がる延長ロッドを一端仮受けした後、新たな延長ロッドを建て込んで先行する延長ロッドの上端に接続し、仮受けを解除した後に地盤の掘削と泥水の地上排出が開始される。
【０００７】
しかしながら、この仮受けの際の泥水排出が停止されている間に泥水中の粒子分が堆積して掘削ロッド内が堆積した粒子分（堆積物）で閉塞され、この堆積物の抵抗によって駆動モータのトルクが増加し、掘削不能に至る危険性がある。
【０００８】
本発明は上記する問題に鑑みてなされたものであり、延長ロッドの下端に駆動モータが装備され、駆動モータの下端に回転自在に掘削ロッドが装着された削孔装置とこの削孔装置を用いた削孔方法に関し、延長ロッドの継ぎ足しの際にも泥水の地上排出（もしくは泥水の逆循環）を継続することができ、もって、泥水排出の停止に起因した泥水中の粒子分からなる堆積物にて掘削ロッドが閉塞されて駆動モータのトルクが増加するとともに掘削不能になるといった問題が生じない、削孔装置と削孔方法を提供することを目的とする。
【課題を解決するための手段】
【０００９】
前記目的を達成すべく、本発明による削孔装置は、地中に順次継ぎ足されていく筒状の延長ロッドと、前記延長ロッドの下端に装着された貫通孔を有する駆動モータと、前記駆動モータに回転自在に装着された筒状の掘削ロッドと、前記掘削ロッドの下端に装着され、噴射水供給路と泥水排出路を内部に備えた掘削ビットと、前記延長ロッドを地上で支持する重機と、から構成され、前記駆動モータの下端にはウォータースイベルが非回転状態で装着され、該ウォータースイベルには地上に延びる排泥管が取り付けられており、前記延長ロッドと前記駆動モータと前記掘削ロッドと前記噴射水供給路から噴射水供給ラインが形成され、前記泥水排出路と前記掘削ロッドと前記ウォータースイベルと前記排泥管から泥水排出ラインが形成されているものである。
【００１０】
本発明の削孔装置は、駆動モータの下端にウォータースイベルが非回転状態で装着され、このウォータースイベルに対して地上に延びる排泥管が取り付けられている点に特徴を有するものである。筒状の延長ロッド、駆動モータの貫通孔、筒状の掘削ロッドおよび掘削ビットの噴射水供給路から噴射水供給ラインが形成され、掘削ビットの泥水排出路、掘削ロッド、ウォータースイベル、排泥管から泥水排出ラインが形成されており、泥水の排出が掘削ロッド内および延長ロッド内を介するルートではなくてウォータースイベルと排泥管内を介するルートであることから、延長ロッドの継ぎ足しの際に地上からの噴射水の供給は停止するものの、泥水の排出（泥水の循環）を停止する必要はなくなり、泥水排出の停止に起因した上記する様々な課題を解消することができる。
【００１１】
また、掘削ロッドを回転させる駆動モータを地上に載置せず、地上にある重機にて継ぎ足し自在な延長ロッドを支持させ、延長ロッドの下端に駆動モータを装備し、駆動モータの下端に回転自在に掘削ロッドを装着してなる削孔装置であることから、大深度掘削の場合であっても、先端に掘削ビットを備えた掘削ロッドのロッド長が長くなることはなく、掘削に応じて掘削方向に進行する駆動モータにて一定長さの掘削ロッドを回転させることができ、回転トルクの低下もなく、高い掘削精度が保証できる。
【００１２】
駆動モータは筒状の延長ロッドを流下した噴射水が流通する関係上、たとえばその中央に貫通孔を備えている。一例として、貫通孔の周囲に環状のロータが回転自在に配設され、この環状のロータの周囲に環状のステータが配設され、ロータの下端に掘削ロッドが装着され、ステータの下端にウォータースイベルが装着されることにより、駆動モータに対して掘削ロッドは回転自在に装着され、駆動モータに対してウォータースイベルは非回転状態で装着された構成を形成できる。なお、この構成では、駆動モータの下方において、駆動モータに対して非回転状態で固定されているウォータースイベルの内部において、掘削ロッドが回転自在に配設されている。
【００１３】
掘削ロッドは、噴射水供給ラインと泥水排出ラインの双方を構成する要素となり、その一方で各ラインは双方を流れる流体（噴射水と泥水）が混ざり合わないように相互に分離独立している必要がある。したがって、掘削ロッドには、その内部もしくは外部において、噴射水供給ラインを形成する区画と、泥水排出ラインを形成する区画が存在していて、双方のラインを分離独立できる構成となっている。
【００１４】
地上にあるクレーン等の重機にて延長ロッドを吊持するとともに、重機に装備されたガイドレール等にたとえば最上段の延長ロッドを固定して当該最上段の延長ロッドの下方移動を案内するとともに、駆動モータの回転時の反力が延長ロッドを介して伝達されてきた伝達反力を重機にて負担する。
【００１５】
また、排泥管の地上部における排出口はたとえばサクションポンプに通じており、サクションポンプの駆動によって泥水の排出が実行される。
【００１６】
また、本発明による削孔装置の他の実施の形態において、前記掘削ビットは中央の中央ビットと、該中央ビットから側方へ突出した拡翼ビットから構成され、前記拡翼ビットに前記噴射水供給路が形成され、前記掘削ロッドと前記噴射水供給路が迂回管で繋がれており、前記中央ビットに前記泥水排出路が形成されているものである。
【００１７】
本実施の形態の削孔装置は、大口径の掘削孔の造成に対応するべく、掘削ビットを中央の中央ビットと該中央ビットから側方へ突出した拡翼ビットから構成したものである。仮に、掘削ビットの中央ビットから噴射水を提供し、かつ中央ビットから別ルートで泥水を排水する構成とした場合、たとえば拡翼ビットの先端から中央ビットの泥水排出路までの距離が長いことから泥水の取込み効率が低下し、泥水が掘削領域にて停滞し続けることで掘削ビットの摩耗や切削不足による掘削孔の出来形不良が生じる可能性がある。
【００１８】
そこで、中央ビットに泥水排出路を形成し、拡翼ビットに噴射水供給路を形成するとともに掘削ロッドと噴射水供給路を迂回管で繋いだ構成とすることで、拡翼ビットの噴射水供給路を介して掘削面（掘削底面）の外周部に噴射水を提供し、当該掘削面の外周部から掘削面の中央部にある中央ビットの泥水排出路に向かう泥水の流れを生ぜしめることができ、掘削面外周部の切削土砂を効率的に地上に排出することが可能になる。
【００１９】
また、本発明による削孔装置の他の実施の形態において、前記排泥管は可撓性を有しており、前記延長ロッドの継ぎ足しに応じて地上から地中に該排泥管が自動的に送り出されるものである。
【００２０】
可撓性のある排泥管としては、ゴムホースや、薄肉ステンレス溶接管を蛇腹状に加工したパイプなど、多様な形態が挙げられる。たとえば、地上において、リール等に可撓性の排泥管を巻装しておく。延長ロッドの継ぎ足しにより、ウォータースイベルの泥水排出口（排泥管の取り付け口）と地上までの距離が伸びた際に、リールが回転して自動的に排泥管を巻出し、地中に送り出される形態などを挙げることができる。
【００２１】
また、本発明による削孔方法は、筒状の延長ロッドの下端に貫通孔を中央に備えた駆動モータを取り付け、該駆動モータの下端に回転自在に筒状の掘削ロッドを取り付けるとともに非回転状態でウォータースイベルを取り付け、該掘削ロッドの下端に噴射水供給路と泥水排出路を内部に備えた掘削ビットを取り付け、該ウォータースイベルに排泥管を取り付け、前記延長ロッドと前記駆動モータと前記掘削ロッドと前記噴射水供給路から噴射水供給ラインを形成し、前記泥水排出路と前記掘削ロッドと前記ウォータースイベルと前記排泥管から泥水排出ラインを形成して掘削装置を構成し、前記掘削ビットを回転させ、前記噴射水供給ラインを介して噴射水を地盤に供給しながら地盤を掘削し、前記泥水排出ラインを介して泥水を地上に排出しながら掘削孔を造成し、地盤の掘削に応じて前記延長ロッドを継ぎ足し、この継ぎ足しの際に、前記泥水排出ラインを介した泥水の排出を継続するものである。
【００２２】
本発明の掘削方法によれば、既述する本発明の掘削装置を用いて掘削孔を造成することから、延長ロッドの継ぎ足しの際に泥水排出ラインを介した泥水の排出（泥水の循環）を継続することができ、泥水排出の停止に起因した様々な課題を解消することができる。なお、造成された掘削孔には、たとえば鉄筋籠が挿入され、コンクリートが流し込まれて場所打ち杭が施工される。
【００２３】
また、本発明による削孔方法の他の実施の形態において、前記掘削ビットは中央の中央ビットと、該中央ビットから側方へ突出した拡翼ビットから構成され、前記拡翼ビットに前記噴射水供給路を形成し、前記掘削ロッドと前記噴射水供給路を迂回管で繋ぎ、前記中央ビットに前記泥水排出路を形成し、前記拡翼ビットから噴射水を供給し、前記中央ビットから泥水を排出しながら掘削孔を造成するものである。
【００２４】
さらに、本発明による削孔方法の他の実施の形態において、前記排泥管は可撓性を有しており、前記延長ロッドの継ぎ足しに応じて地上から地中に該排泥管を自動的に送り出すものである。
【発明の効果】
【００２５】
本発明の削孔装置と削孔方法によれば、駆動モータの下端にウォータースイベルが非回転状態で装着され、このウォータースイベルに対して地上に延びる排泥管が取り付けられていて、延長ロッド、駆動モータ、掘削ロッドおよび掘削ビットの噴射水供給路から噴射水供給ラインが形成され、掘削ビットの泥水排出路、掘削ロッド、ウォータースイベル、排泥管から泥水排出ラインが形成されていて、泥水の排出が掘削ロッド内および延長ロッド内を介するルートではなくてウォータースイベルと排泥管内を介するルートであることから、延長ロッドの継ぎ足しの際に泥水の排出（泥水の循環）を停止する必要はなくなり、泥水排出の停止に起因した様々な課題、すなわち、泥水排出の停止に起因した泥水中の粒子分からなる堆積物にて掘削ロッドが閉塞されて駆動モータのトルクが増加するとともに掘削不能になるといった課題を解消することができる。
【図面の簡単な説明】
【００２６】
【図１】本発明の削孔装置を説明した模式図である。
【図２】掘削面に噴射水を提供し、掘削面から泥水を排出しながら掘削孔を造成している状況を説明した模式図である。
【図３】延長ロッドを継ぎ足している際に掘削面からの泥水の排出を継続している状況を説明した模式図である。
【発明を実施するための形態】
【００２７】
以下、図面を参照して本発明の削孔装置と削孔方法の実施の形態を説明する。なお、図示例の削孔装置を構成する掘削ビットは、中央の中央ビットと、該中央ビットから側方へ突出した拡翼ビットから構成されているが、これは大口径の掘削孔に対応した掘削ビットであり、したがって、小口径の掘削孔等に対応した掘削ビットは図示例以外の形態であってもよいことは勿論のことである。また、図示例の削孔装置では、掘削ロッドと噴射水供給路を迂回管で繋ぐことで噴射水供給ラインと泥水排出ラインを相互に分離独立させているが、双方のラインを分離独立させる形態は図示例以外にも様々存在することは勿論のことである。
【００２８】
（削孔装置と削孔方法の実施の形態）
図１は本発明の削孔装置を説明した模式図であり、図２は掘削面に噴射水を提供し、掘削面から泥水を排出しながら掘削孔を造成している状況を説明した模式図であり、図３は延長ロッドを継ぎ足している際に掘削面からの泥水の排出を継続している状況を説明した模式図である。
【００２９】
図示する削孔装置１０は、原地盤Ｇ内に順次継ぎ足されていく筒状の延長ロッド１と、延長ロッド１の下端に装着された駆動モータ２と、駆動モータ２に回転自在に装着された筒状の掘削ロッド３と、駆動モータ２の下端に非回転状態で装着されたウォータースイベル５と、掘削ロッド３の下端に装着された掘削ビット４と、延長ロッド１を地上で支持する重機６と、ウォータースイベル５に取り付けられた排泥管７と、排泥管７の端部開口が取り付けたサクションポンプ８と、から大略構成されており、掘削ビット４をＸ１方向に回転させながら下方に前進させ（Ｘ２方向）、原地盤Ｇ内に所定延長の掘削孔Ｐを造成するものである。
【００３０】
重機６は、最上段の延長ロッド１を降下自在に案内するガイドレール６ａを有しており、最上段の延長ロッド１をワイヤ６ｂで直接吊持することで延長ロッド１や駆動モータ２等を支持する。
【００３１】
延長ロッド１は所定長さの鋼管からなり、掘削ビット４による原地盤Ｇの削孔が進行し、掘削孔Ｐの延長が長くなるのに応じて順次継ぎ足されていく。なお、図１は三本の延長ロッド１が継ぎ足された状態で削孔が進行している状況を示している。掘削孔Ｐの造成においては、地上から所定密度の安定液Ｌが掘削孔Ｐ内に提供され、孔壁の崩落防止が図られている。
【００３２】
図２で示すように、油圧式の駆動モータ２は、中央のロータ２ｂとその周囲のステータ２ａとから構成され、ロータ２ｂの中央には貫通孔２ｃが開設されている。なお、図２で示す駆動モータ２は構成を簡略にして模式的に示したものであり、内側にステータがあり、外側にロータがある別構成の駆動モータ等であってもよく、図示例以外の多様な構成の駆動モータが適用できる。
【００３３】
図２で示されている延長ロッド１は最下段の延長ロッドであり、この最下段の延長ロッド１は駆動モータ２のステータ２ａに固定されており、したがって、延長ロッド１は駆動モータ２に対して非回転状態で取り付けられている。
【００３４】
一方、駆動モータ２のロータ２ｂの下端には掘削ロッド３が取り付けられており、したがって、ロータ２ｂのＸ１方向の回転に応じて掘削ロッド３もＸ１方向に回転自在となっている。そして、掘削ロッド３の下端には掘削ビット４が取り付けられており、掘削ロッド３と同様にＸ１方向に回転自在となっている。
【００３５】
駆動ロッド３には、駆動モータ２の貫通孔に流体連通する分岐路３ａが設けてあり、この分岐路３ａの下方から複数の迂回路３ｃが分岐して掘削ビット４に延びている。
【００３６】
駆動モータ２のステータ２ａの下端には、ウォータースイベル５が非回転状態で装着されており、したがって、駆動モータ２のロータ２ｂに装着されている駆動ロッド３の一部はウォータースイベル５内に存在する。
【００３７】
掘削ビット４はその前面（下端面）に多数の掘削刃４ａを備えており、中央の中央ビット４Ａと、この中央ビット４Ａから側方へ突出した拡翼ビット４Ｂから構成されている。拡翼ビット４Ｂには噴射水供給路４ｂが形成され、迂回路３ｃがこの噴射水供給路４ｂに流体連通している。一方、中央ビット４Ａには泥水排出路４ｃが形成され、掘削ロッド３と流体連通しており、さらに、掘削ロッド３に開設されていてウォータースイベル５内に臨む排出口３ｂに流体連通している。
【００３８】
筒状の延長ロッド１、駆動モータ２の貫通孔２ｃ、掘削ロッド３の分岐路３ａ、および掘削ビット４の噴射水供給路４ｂから噴射水供給ラインが形成される。地上から供給された高圧水は、筒状の延長ロッド１および駆動モータ２の貫通孔２ｃをＹ１方向に流れ、分岐路３ａに流れ込み（Ｙ２方向）、分岐路３ａからさらに分岐した迂回路３ｃに流れ込み（Ｙ３方向）、噴射水供給路４ｂを介して（Ｙ４方向）掘削面にＹ５方向で供給される。
【００３９】
一方、掘削ビット４の泥水排出路４ｃ、掘削ロッド３の排出口３ｂ、ウォータースイベル５および排泥管７から泥水排出ラインが形成される。排泥管７の地上側の端部は地上にあるサクションポンプ８に流体連通しており、サクションポンプ８を駆動させることにより、泥水排出路４ｃから掘削土砂が安定液Ｌに混ざり合った泥水がＹ６方向で吸引され、掘削ロッド３に入り、掘削ロッド３をＹ７方向で上流して排出口３ｃからウォータースイベル５に入り込み（Ｙ８方向）、ウォータースイベル５の排出管５ａをＹ９方向で上流した後、排泥管７をＹ１０方向で上流して地上に排出される。
【００４０】
このように、掘削ロッド３は、噴射水が流通する噴射水供給ラインと泥水が流通する泥水排出ラインの双方の構成要素であるため、噴射水と泥水が混ざり合うことなく分離独立して流通するようにそれぞれの流体流路が区画構成されている。
【００４１】
掘削孔Ｐの造成においては、噴射水の掘削面への提供をおこなうとともに、掘削ロッド３を介して泥水を逆循環方式にて地上に排出し、掘削ビット４を継続的に回転させることで造成がおこなわれる。
【００４２】
一方、掘削孔Ｐの掘削が進行して延長ロッド１の継ぎ足しをおこなう際には、図３で示すように、噴射水供給ラインを介した噴射水の供給は停止するものの、泥水排出ラインを介した泥水の排出は継続する。
【００４３】
これは、駆動モータ２の下方にウォータースイベル５が非回転状態で装着され、このウォータースイベル５および排泥管７を介した泥水排出ライン、すなわち噴射水供給ラインとは別ルートの排出ラインが設けられていることによって実現される。そのため、泥水排出の停止に起因した泥水中の粒子分からなる堆積物にて掘削ロッド３が閉塞されて駆動モータ２のトルクが増加するとともに掘削不能になるといった問題は生じ得ない。
【００４４】
このように、本発明の削孔方法は、図１で示す削孔装置１０を用いて、掘削ビット４を回転させ、噴射水供給ラインを介して噴射水を地盤に供給しながら地盤を掘削し、泥水排出ラインを介して泥水を地上に排出しながら掘削孔Ｐを造成し、原地盤Ｇの掘削に応じて延長ロッド１を継ぎ足していくものであるが、この延長ロッド１の継ぎ足しの際に、泥水排出ラインを介した泥水の排出を継続するものである。
【００４５】
この掘削方法では、掘削ロッド３を回転させる駆動モータ２を地上に載置せず、地上にある重機６にて継ぎ足し自在な延長ロッド１を支持させ、延長ロッド１の下端に駆動モータ２を装備し、駆動モータ２の下端に回転自在に掘削ロッド３を装着してなる削孔装置１０を使用していることから、大深度掘削の場合であっても、先端に掘削ビット４を備えた掘削ロッド３のロッド長が長くなることはなく、掘削に応じて掘削方向に進行する駆動モータ２にて一定長さの掘削ロッド３を回転させることができ、回転トルクの低下もなく、高い掘削精度を保証することができる。
【００４６】
また、図示する削孔装置１０を構成する排泥管７は可撓性を有しており、たとえば、ゴムホースや、薄肉ステンレス溶接管を蛇腹状に加工したパイプなどから形成されている。排泥管７は地上においてリール９に巻装されており、リール９から出た排泥管７の端部がサクションポンプ８に連通している。
【００４７】
延長ロッド１の継ぎ足しにより、ウォータースイベル５の排出管５ａの泥水排出口と地上までの距離が伸びた際に、リール９が回転して自動的に排泥管７を巻出し、排泥管７が地中に送り出されることで自動的にその延長を長くすることができる。
【００４８】
また、図示する削孔装置１０は、大口径の掘削孔Ｐの造成に対応するべく、掘削ビット４を中央の中央ビット４Ａと側方の拡翼ビット４Ｂから構成している。仮に、掘削ビットの中央ビットから噴射水を提供し、かつ中央ビットから別ルートで泥水を排水する構成とした場合、たとえば拡翼ビットの先端から中央ビットの泥水排出路までの距離が長いことから泥水の取込み効率が低下し、泥水が掘削領域にて停滞し続けることで掘削ビットの摩耗や切削不足による掘削孔の出来形不良が生じる可能性がある。
【００４９】
そこで、削孔装置１０では、中央ビット４Ａに泥水排出路４ｃを形成し、拡翼ビット４Ｂに噴射水供給路４ｂを形成するとともに掘削ロッド３と噴射水供給路４ｂを迂回管３ｃで繋いだ構成とすることで、拡翼ビット４Ｂの噴射水供給路４ｂを介して掘削底面の外周部に噴射水を提供し、当該掘削底面の外周部から掘削面の中央部にある中央ビット４Ａの泥水排出路４ｃに向かうＹ５方向の泥水の流れを生ぜしめることができ、掘削底面外周部の切削土砂を効率的に地上に排出することが可能になる。
【００５０】
所定延長の掘削孔Ｐが造成されたら、掘削孔Ｐ内に鉄筋籠が吊り下され、コンクリートが充填されて場所打ち杭が施工される。
【００５１】
以上、本発明の実施の形態について図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５２】
１…延長ロッド、２…駆動モータ、２ａ…ステータ、２ｂ…ロータ、２ｃ…貫通孔、３…掘削ロッド、３ａ…分岐路、３ｂ…排出口、３ｃ…迂回路、４…掘削ビット、４Ａ…中央ビット、４Ｂ…拡翼ビット、４ａ…掘削刃、４ｂ…噴射水供給路、４ｃ…泥水排出路、５…ウォータースイベル、５ａ…排出管、６…重機、６ａ…ガイドレール、６ｂ…ワイヤ、７…排泥管、８…サクションポンプ、９…リール、１０…削孔装置、Ｇ…原地盤、Ｐ…掘削孔
【図１】
2018204256.tif 000003
【図２】
2018204256.tif 000004
【図３】
2018204256.tif 000005